(57)【要約】【課題】切断刃による使用者の怪我を防止するとともに、長期間の使用においても不具合を発生させずにテープを切断することができるテープ切断機及びテープ切断機に取り付けるテープ切断補助機を提供する。【解決手段】テープ切断機（１０）は、円環部材に巻き取られたテープ（Ｔ）を引き出し自在に支持する固定台（２０）と、固定台（２０）のテープ（Ｔ）の引き出し方向に設けられ、引き出したテープ（Ｔ）を切断する切断刃（３０）と、切断刃（３０）よりも、テープ（Ｔ）の引き出し方向側に設けられた回転体（４１）と、回転体を回転自在に支持する回転支持部（４２）とを備える。【選択図】図１
2009143689.tif 000002
【特許請求の範囲】
【請求項１】
円環部材に巻き取られたテープを引き出し自在に支持する固定台と、
前記固定台の前記テープの引き出し方向に設けられ、引き出した前記テープを切断する切断刃と、
前記切断刃よりも、前記テープの引き出し方向側に設けられた回転体と、
前記回転体を回転自在に支持する回転支持部と、
を備えるテープ切断機。
【請求項２】
請求項１に記載のテープ切断機において、
前記切断刃は、刃先が前記固定台から突出して配置されており、
前記回転支持部は、前記回転体を、前記切断刃の刃先を前記固定台から単独で突出させないようにする第１の位置に配置し、前記テープが切断されるときに、前記切断刃の刃先を前記固定台から単独で突出させて前記テープが前記切断刃に接触するように第２の位置へ、前記回転体を退避させること、
を特徴とするテープ切断機。
【請求項３】
請求項１又は請求項２に記載のテープ切断機において、
前記回転体は、円周面が円筒形状であること、
を特徴とするテープ切断機。
【請求項４】
請求項３に記載のテープ切断機において、
前記回転体は、円周面に凹凸形状が形成されていること、
を特徴とするテープ切断機。
【請求項５】
円環部材に巻き取られたテープを引き出し自在に支持する固定台と、前記固定台の前記テープの引き出し方向に設けられ、引き出した前記テープを切断する切断刃とを有したテープ切断機に取り付けるテープ切断補助機であって、
回転体と、
前記回転体を回転自在に支持する支持部と、前記固定台に着脱自在に取り付ける接続部とを有した回転体支持具と、
を備えるテープ切断補助機。
【請求項６】
請求項５に記載のテープ切断補助機において、
前記回転体支持具は、前記テープ切断機の前記切断刃よりも前記テープの引き出し方向側に、前記接続部によって配置されること、
を特徴とするテープ切断補助機。
【請求項７】
請求項５又は請求項６に記載のテープ切断補助機において、
前記切断刃は、刃先が前記固定台から突出しており、
前記回転体支持具は、前記回転体を、前記切断刃の刃先を前記固定台から単独に突出させないようにする第１の位置に配置し、前記テープが切断されるときに、前記切断刃の刃先を前記固定台から単独で突出させて前記テープが前記切断刃に接触するように第２の位置へ、前記回転体を退避させること、
を特徴とするテープ切断補助機。
【請求項８】
請求項５から請求項７までのいずれか１項に記載のテープ切断補助機において、
前記回転体は、円周面が円筒形状であること、
を特徴とするテープ切断補助機。
【請求項９】
請求項８に記載のテープ切断補助機において、
前記回転体は、円周面に凹凸形状が形成されていること、
を特徴とするテープ切断補助機。
【発明の詳細な説明】
【技術分野】
【０００１】
本発明は、テープを切断するテープ切断機及びテープ切断機に取り付けるテープ切断補助機に関するものである。
【背景技術】
【０００２】
テープを所望の長さに切断するテープ切断機は、円環状に巻き取られたテープを回転自在に支持する固定台の先端部に、テープ切断用の切断刃が設けられている。このようなテープ切断機は、使用者がテープを切断するときに、テープの先端部をつまんで所望の長さに引き出して、切断刃によりテープを切断している。このとき、切断刃によるテープの切断部を乱さずきれいに切断しようとすると、テープをつまんだ指を切断刃に近づける必要があり、誤って切断刃に接触して指に切り傷などの怪我をすることがあった。
【０００３】
そのため、テープ切断作業時の受傷を軽減するための対策などが種々提案されている（例えば、特許文献１参照）。特許文献１のテープ切断機では、切断刃を設けた部材に嵌合部を設け、その嵌合部にローラを設けている。
【０００４】
特許文献１のテープ切断機は、テープ切断に際しテープを引き出して下方に引くことにより、ローラを嵌合部から引き出して、嵌合部の先端の切断刃の刃先を露出させて、テープを切断している。
【０００５】
しかし、このようなテープ切断機は、ローラを嵌合部から引き出す機構などが複雑となり、長期間の使用などにより不具合を起こし易くなり、テープを安定して切断することができない場合があり、また、使用者の切断刃による怪我を完全に防ぐことができない場合があった。
【０００６】
さらに、会社の事務などで使用されているテープ切断機は、そのほとんどが上述の受傷に対する対策が講じられていない一般に流通したテープ切断機であり、会社の備品であるので、自己の使用形態などの理由により、テープ切断機を容易に交換することができない場合があった。
【特許文献１】特開平０６−０１６３２１号公報
【発明の開示】
【発明が解決しようとする課題】
【０００７】
本発明の課題は、切断刃による使用者の怪我を防止するとともに、長期間の使用においても不具合を発生させずにテープを切断することができるテープ切断機及びテープ切断機に取り付けるテープ切断補助機を提供することである。
【課題を解決するための手段】
【０００８】
本発明は、以下のような解決手段により、前記課題を解決する。なお、理解を容易にするために、本発明の実施例に対応する符号を括弧内に付して説明するが、これに限定されるものではない。
【０００９】
請求項１に記載された発明は、円環部材に巻き取られたテープ（Ｔ）を引き出し自在に支持する固定台（２０）と、前記固定台（２０）の前記テープ（Ｔ）の引き出し方向に設けられ、引き出した前記テープ（Ｔ）を切断する切断刃（３０）と、前記切断刃（３０）よりも、前記テープ（Ｔ）の引き出し方向側に設けられ回転体（４１）と、前記回転体（４１）を回転自在に支持する回転支持部（４２）と、を備えるテープ切断機（１０）である。
【００１０】
請求項２に記載された発明は、請求項１に記載のテープ切断機（１０）において、前記切断刃（３０）は、刃先が前記固定台（２０）から突出して配置されており、前記回転支持部（４２）は、前記回転体（４１）を、前記切断刃（３０）の刃先を前記固定台（２０）から単独で突出させないようにする第１の位置に配置し、前記テープ（Ｔ）が切断されるときに、前記切断刃（３０）の刃先を前記固定台（２０）から単独で突出させて前記テープ（Ｔ）が前記切断刃（３０）に接触するように第２の位置へ、前記回転体（４１）を退避させること、を特徴とするテープ切断機（１０）である。
【００１１】
請求項３に記載された発明は、請求項１又は請求項２に記載のテープ切断機（１０）において、前記回転体（４１）は、円周面が円筒形状であること、を特徴とするテープ切断機（１０）である。
【００１２】
請求項４に記載された発明は、請求項３に記載のテープ切断機（１０）において、前記回転体（４１）は、円周面に凹凸形状が形成されていること、を特徴とするテープ切断機（１０）である。
【００１３】
請求項５に記載された発明は、テープ（Ｔ）を引き出し自在に支持する固定台（２０−２）と、前記固定台（２０−２）の前記テープ（Ｔ）の引き出し方向に設けられ、引き出した前記テープ（Ｔ）を切断する切断刃（３０−２）とを有したテープ切断機（１０−２）に取り付けるテープ切断補助機（５０）であって、回転体（５１）と、前記回転体（５１）を回転自在に支持する支持部と、前記固定台（２０−２）に着脱自在に取り付ける接続部（５３）とを有した回転体支持具（５２）と、を備えるテープ切断補助機（５０）である。
【００１４】
請求項６に記載された発明は、請求項５に記載のテープ切断補助機（５０）において、前記回転体支持具（５２）は、前記テープ切断機（１０−２）の前記切断刃（３０−２）よりも前記テープ（Ｔ）の引き出し方向側に、前記接続部（５３）によって配置されること、を特徴とするテープ切断補助機（５０）である。
【００１５】
請求項７に記載された発明は、請求項５又は請求項６に記載のテープ切断補助機（５０）において、前記切断刃（３０−２）は、刃先が前記固定台（２０−２）から突出しており、前記回転体支持具（５２）は、前記回転体（５１）を、前記切断刃（３０−２）の刃先を前記固定台（２０−２）から単独に突出させないようにする第１の位置に配置し、前記テープ（Ｔ）が切断されるときに、前記切断刃（３０−２）の刃先を前記固定台（２０−２）から単独で突出させて前記テープ（Ｔ）が前記切断刃（３０−２）に接触するように第２の位置へ、前記回転体（５１）を退避させること、を特徴とするテープ切断補助機（５０）である。
【００１６】
請求項８に記載された発明は、請求項５から請求項７までのいずれか１項に記載のテープ切断補助機（５０）において、前記回転体（５１）は、円周面が円筒形状であること、を特徴とするテープ切断補助機（５０）である。
【００１７】
請求項９に記載された発明は、請求項８に記載のテープ切断補助機（５０）において、前記回転体（５１）は、円周面に凹凸形状（５１ａ）が形成されていること、を特徴とするテープ切断補助機（５０）である。
【発明の効果】
【００１８】
本発明によれば、以下のような効果がある。
（１）テープ切断機は、テープを切断する切断刃と、切断刃よりもテープの引き出し方向側に設けられた回転体とを備えているので、使用者がテープを切断するときに、テープをつまんだ指が切断刃に接近して、誤って使用者の指などが切断刃に接触するのを防ぎ、使用者の怪我を防止することができる。また、回転体は、回転支持部により回転自在に支持しているので、長期間の使用などにおいても不具合を起こすことなくテープを切断することができる。
【００１９】
（２）回転体は、固定台から突出した切断刃の刃先を、固定台から単独で突出させないようにする第１の位置に配置され、テープが切断されるときに、テープが切断刃に接触するように第２の位置に退避するので、テープを容易に切断することができる。また、テープを引き出すときに、テープが切断刃の刃先に接触して、テープが傷つくのを防止することができる。
（３）回転体は、円周面が円筒形状であるので、回転体が回転することにより、引き出されたテープを安定して案内することができる。
【００２０】
（４）回転体は、円周面に凹凸形状が形成されているので、テープが回転体の円周面に密着するのを防止することができる。
（５）テープ切断補助機は、回転体と、回転体を回転自在に支持し、固定台に着脱自在に取り付ける接続部を有した回転体支持具とを備えているので、テープ切断機に、テープ切断補助機を後付けすることにより、既存のテープ切断機を活用して使用者の切断刃による怪我を防止することができる。
【発明を実施するための最良の形態】
【００２１】
本発明は、切断刃による使用者の怪我を防止するとともに、長期間の使用においても不具合を発生させずにテープを切断することができるテープ切断機及びテープ切断機に取り付けるテープ切断補助機を提供するという目的を、テープ切断機の切断刃よりも、テープの引き出し方向側に回転体を設けることにより実現する。
【実施例１】
【００２２】
以下、図面等を参照して、本発明の実施例をあげて、さらに詳しく説明する。
【００２３】
図１は、本発明による実施例１のテープ切断機を示す図である。図２は、図１のＰ−Ｐ断面の拡大図である。説明を明確にするために、図１中の＋Ｘ方向を前、−Ｘ方向を後、＋Ｙ方向を左、−Ｙ方向を右、＋Ｚ方向を上、−Ｚ方向を下とする。
【００２４】
テープ切断機１０は、図１に示すように、固定台２０に回転自在に支持された粘着テープＴを所望の長さで切断するテープカッタである。ここで、粘着テープＴは、円環状の筒部材に巻き取られており、巻き取られる内側の面に粘着剤ＴＡが設けられた樹脂製のテープである。説明を明確にするために、粘着テープＴは、円環状の部材に巻き取られている部位をテープ円環部Ｔ１、テープ円環部Ｔ１から引き出された部位をテープ引出部Ｔ２、後述の切断刃３０によって切断されたテープ引出部Ｔ２をテープ片Ｔ３（図７参照）とする。
【００２５】
固定台２０は、穴部２１、回転軸部２２、切断刃３０及び回転機構部４０を有しているテープ切断機１０の土台である。また、固定台２０は、図２に示すように、その最前部に、後述の回転機構部４０を配置する凹状の穴部２１が設けられており、穴部２１の開口部には、爪部２１ａが形成されている（図２参照）。
【００２６】
回転軸部２２は、図１に示すように、粘着テープＴのテープ円環部Ｔ１を回転自在に支持する回転部材であり、粘着テープＴのテープ引出部Ｔ２の先端部を使用者がつまんで引っ張ると、テープ引出部Ｔ２は、回転軸部２２とともに回転してテープ円環部Ｔ１から引き出される。
【００２７】
切断刃３０は、固定台２０上の穴部２１の後方に隣接して配置された鋸状の刃であり、テープ円環部Ｔ１から引き出されたテープ引出部Ｔ２を切断するときに使用される。
【００２８】
回転機構部４０は、図２に示すように、回転ローラ４１、回転支持部材４２及び圧縮ばね４３を有し、固定台２０の穴部２１に配置されている。
【００２９】
回転ローラ４１は、合成樹脂で形成された中空の円筒部材であり、円周面にフッ素系の樹脂（例えば、テフロン（米国デュポン社登録商標））がコーティングされている。フッ素系の樹脂をコーティングすることで、粘着テープＴのテープ引出部Ｔ２の粘着剤ＴＡのある面が回転ローラ４１に接触しても、容易に剥すことができるようにしている。また、円筒の中空部には、その中空部よりも径の小さい回転軸４１ａが挿入されており、回転ローラ４１は、回転軸４１ａに対して回転自在となる。
【００３０】
回転支持部材（回転支持部）４２は、回転ローラ４１の回転軸４１ａの両端を支持する部材であり、後述の圧縮ばね４３の伸縮により、固定台２０の穴部２１内を上下方向に移動する（矢印Ｂ）。また、回転支持部材４２は、その下端部に爪部４２ａが形成されており、上述の固定台２０の爪部２１ａと接触することで、回転支持部材４２の移動範囲を制限している。
【００３１】
圧縮ばね４３は、回転支持部材４２の底面と固定台２０の穴部２１の底面との間に挟持される圧縮式のコイルばねであり、回転支持部材４２の爪部４２ａを固定台２０の爪部２０ａに付勢している。
【００３２】
以上の構成により、回転機構部４０は、圧縮ばね４３の付勢力により、回転ローラ４１を、固定台２０の切断刃３０の刃先よりも上方（第１の位置、図２参照）に位置させており、これにより、使用者が粘着テープＴを切断するときに、粘着テープＴのテープ引出部Ｔ２をつまんだ指が切断刃３０に接近しても、誤って使用者の指などが切断刃３０に接触するのを防止することができる。また、粘着テープＴのテープ引出部Ｔ２を切断するときは、切断刃３０がテープ引出部Ｔ２に接触することができるように、圧縮ばね４３が縮んで（図２矢印Ｂ参照）、回転ローラ４１及び回転支持部材４２が下方（第２の位置、図６参照）へ移動する。
【００３３】
次に、テープ切断機１０の粘着テープＴの切断作業について説明する。
【００３４】
図３及び図４は、粘着テープＴのテープ引出部Ｔ２を引き出すときの図を示し、図５は、テープ引出部Ｔ２を回転ローラ４１に押し付ける図であり、図６は、テープ引出部Ｔ２を切断するときの図であり、図７は、テープ引出部Ｔ２の切断後を示す図である。
【００３５】
使用者が粘着テープＴを使用するときは、図３に示すように、テープ引出部Ｔ２の先端部を指でつまみ、図４に示すように、テープ引出部Ｔ２を所望の長さだけ引き出す（矢印Ｃ）。このとき、テープ引出部Ｔ２は、回転ローラ４１の円周面に接触させて、回転ローラ４１を回転させながら引き出してもよい。
【００３６】
テープ引出部Ｔ２を所望の長さだけ引き出したら、図５に示すように、テープ引出部Ｔ２を回転機構部４０の回転ローラ４１に押し付けて（矢印Ｄ）、テープ引出部Ｔ２の粘着剤ＴＡのある面を回転ローラ４１の円周面に接触させる。次に、テープ引出部Ｔ２を回転ローラ４１に押し付けた状態で、図６に示すように、テープ引出部Ｔ２を前斜め下方に引っ張ると（矢印Ｅ）、回転ローラ４１は、微小に回転しながら回転支持部材４２とともに下方へ移動する（矢印Ｆ１、矢印Ｆ２）。回転ローラ４１が回転支持部材４２とともに下方に下がることで、テープ引出部Ｔ２は、図７に示すように、切断刃３０の刃先に接触し、切断されてテープ片Ｔ３となり、テープ片Ｔ３は、回転ローラ４１の円周面から剥がれる。このとき、回転ローラ４１は、円周面にフッ素系の樹脂がコーティングされているので、テープ片Ｔ３は、回転ローラ４１に密着することなく剥がれる。
【００３７】
以上より、実施例１のテープ切断機には以下のような効果がある。
（１）テープ切断機１０は、粘着テープＴを切断する切断刃３０と、切断刃３０よりも前部に設けられた回転機構部４０とを備えているので、使用者が粘着テープＴを切断するときに、テープ引出部Ｔ２をつまんだ指が切断刃３０に接近して、誤って使用者の指などが切断刃３０に接触するのを防ぎ、使用者の怪我を防止することができる。また、回転機構部４０の回転ローラ４１は、回転支持部材４２により回転自在に支持しているので、長期間の使用などにおいても不具合を起こすことなく粘着テープＴのテープ引出部Ｔ２を切断することができる。
【００３８】
（２）回転ローラ４１は、固定台２０から突出した切断刃３０の刃先を、固定台２０から単独で突出させないようにする第１の位置に配置され、粘着テープＴのテープ引出部Ｔ２が切断されるときに、テープ引出部Ｔ２が切断刃３０に接触するように第２の位置へ退避するので、テープ引出部Ｔ２を容易に切断することができる。また、テープ円環部Ｔ１からテープ引出部Ｔ２を引き出すときに、テープ引出部Ｔ２の粘着剤ＴＡのある面が切断刃３０の刃先に接触して、傷つくのを防止することができる。
（３）回転ローラ４１は、円周面が円筒形状であるので、回転ローラ４１が回転することにより、引き出された粘着テープＴを安定して案内することができる。
【実施例２】
【００３９】
実施例２では、汎用のテープ切断機に本発明によるテープ切断補助機を取り付けた例で説明する。図８は、本発明による実施例２のテープ切断補助機を汎用のテープ切断機に取り付けた図である。なお、実施例２の説明では、前述した実施例１と同様な機能を果たす部分には、同一の符号又は末尾に統一した符号を付して、重複する説明や図面を適宜省略する。
【００４０】
テープ切断機１０−２は、図８に示すように、固定台２０−２に回転自在に支持された粘着テープＴを所望の長さで切断する一般に流通する汎用のテープカッタである。また、テープ切断機１０−２の前部にはテープ切断補助機５０が取り付けられている。
【００４１】
固定台２０−２は、回転軸部２２−２及び切断刃３０−２を有しているテープ切断機１０−２の土台である。
【００４２】
回転軸部２２−２は、粘着テープＴのテープ円環部Ｔ１を回転自在に支持する回転部材であり、粘着テープＴのテープ引出部Ｔ２の先端部を使用者がつまんで引っ張ると、テープ引出部Ｔ２は、回転軸部２２−２とともに回転してテープ円環部Ｔ１から引き出される。
【００４３】
切断刃３０−２は、固定台２０−２の前部に配置された鋸状の刃であり、テープ円環部Ｔ１から引き出されたテープ引出部Ｔ２を切断するときに使用される。
【００４４】
テープ切断補助機５０は、回転ローラ５１、回転支持部材５２、補助台５３及び固定ベルト５４を有している。
【００４５】
回転ローラ５１は、合成樹脂で形成された中空の円筒部材であり、円周面に鋸状の凹凸形状５１ａが形成されている。鋸状の凹凸形状５１ａを形成することで、引き出された粘着テープＴのテープ引出部Ｔ２の粘着剤ＴＡのある面が回転ローラ５１に接触しても、容易に剥すことができる。
【００４６】
回転支持部材（回転体支持具）５２は、両端部がＬ字型に曲げられ、回転ローラ５１の中空部の開口径より小さい径で形成された金属（例えば、ステンレス）の棒材であり、その棒材の一端部が回転ローラ５１の中空部に挿入されることで回転ローラ５１を回転自在に支持し、他端部が補助台５３に固定されている。また、回転支持部材５２は、その棒材が弾性変形することにより、補助台５３に固定される他端部を中心として円弧を描くようにして回転ローラ５１を移動させることができる（図１２参照）。
【００４７】
補助台（接続部）５３は、固定台２０−２の切断刃３０−２の周辺部に取り付けられる部材であり、回転ローラ５１を、切断刃３０−２に対して適正な位置に配置させている。
【００４８】
固定ベルト５４は、補助台５３を、固定台２０−２に対して固定するゴム製のベルトである。固定ベルト５４によって補助台５３を固定台２０−２に固定することで、テープ切断機１０−２を移動させたときなどに、テープ切断補助機５０がテープ切断機１０−２から外れるのを防止することができる。
【００４９】
以上の構成により、テープ切断補助機５０は、補助台５３が固定台２０−２に対して適正な位置で固定されていることにより、回転ローラ５１を、固定台２０−２の切断刃３０−２の刃先よりも上方（第１の位置、図９参照）に位置させており、これにより、使用者が粘着テープＴを切断するときに、粘着テープＴのテープ引出部Ｔ２をつまんだ指が切断刃３０に接近しても、誤って使用者の指などが切断刃３０−２に接触するのを防止することができる。また、粘着テープＴのテープ引出部Ｔ２を切断するときは、切断刃３０−２がテープ引出部Ｔ２に接触することができるように、回転支持部材５２が弾性変形し（図１２矢印Ｋ２参照）、回転ローラ５１が前斜め下方（第２の位置、図１２参照）へ移動する。
【００５０】
次に、テープ切断機１０−２及びテープ切断補助機５０を用いた粘着テープＴの切断作業について説明する。
【００５１】
図９及び図１０は、粘着テープＴのテープ引出部Ｔ２を引き出すときの図を示し、図１１は、テープ引出部Ｔ２を回転ローラ５１に押し付ける図であり、図１２は、テープ引出部Ｔ２を切断するときの図であり、図１３は、テープ引出部Ｔ２の切断後を示す図である。
【００５２】
使用者が粘着テープＴを使用するときは、図９に示すように、テープ引出部Ｔ２の先端部を指でつまみ、図１０に示すように、粘着テープＴを所望の長さだけ引き出す（矢印Ｈ）。このとき、テープ引出部Ｔ２は、回転ローラ５１の円周面に接触させて、回転ローラ５１を回転させながら引き出してもよい。
【００５３】
テープ引出部Ｔ２を所望の長さだけ引き出したら、図１１に示すように、テープ引出部Ｔ２をテープ切断補助機５０の回転ローラ５１に押し付けて（矢印Ｉ）、テープ引出部Ｔ２の粘着剤ＴＡのある面を回転ローラ５１の円周面に接触させる。次に、テープ引出部Ｔ２を回転ローラ５１に押し付けた状態で、図１２に示すように、テープ引出部Ｔ２を前斜め下方に引っ張ると（矢印Ｊ）、回転ローラ５１は、微小に回転しながら回転支持部材５２が弾性変形することにより前斜め下方へ移動する（矢印Ｋ１、矢印Ｋ２）。回転ローラ５１が前斜め下方に下がることで、テープ引出部Ｔ２は、図１３に示すように、切断刃３０−２の刃先に接触し、切断されてテープ片Ｔ３となり、テープ片Ｔ３は、回転ローラ５１の円周面から剥がれる。このとき、回転ローラ５１は、円周面に鋸状の凹凸形状５１ａが形成されているので、テープ片Ｔ３は、回転ローラ５１に密着することがない。
【００５４】
以上より、実施例２のテープ切断補助機には以下のような効果がある。
【００５５】
（１）テープ切断補助機５０は、回転ローラ５１と、回転ローラ５１を回転自在に支持し、固定台２０−２に着脱自在に取り付ける補助台５３を有した回転支持部材５２とを備えているので、会社の事務などに備品として備えられた汎用のテープ切断機１０−２に、テープ切断補助機５０を後付として取り付けることができ、新たにテープ切断機を買い換えることなく、汎用のテープ切断機１０−２を活用して使用者の切断刃による怪我を防止することができる。
【００５６】
（２）回転ローラ５１は、円周面に鋸状の凹凸形状５１ａが形成されているので、粘着テープＴのテープ引出部Ｔ２が回転ローラ５１の円周面に密着するのを防止して、回転ローラ５１からテープ引出部Ｔ２又はテープ片Ｔ３を剥がし易くすることができる。
【００５７】
（変形例）
以上、説明した実施例に限定されることなく、種々の変形や変更が可能であり、それらの発明も均等の範囲内である。図１４は、各実施例の回転ローラの変形例である。図１５は、実施例２の回転支持部材５２の変形例である。
【００５８】
（１）実施例２では、回転ローラ５１の円周面に鋸状の凹凸形状５１ａを設けたが、それ以外の凹凸形状を設けてもよい。例えば、図１４に示すような、歯車状の凹凸形状を設けたり、ローレット状の凹凸形状を設けたりすることも可能である。また、実施例１のテープ切断機１０の回転ローラ４１においても、同様の凹凸形状を用いてもよい。
【００５９】
さらに、回転ローラ４１及び回転ローラ５１は、円筒形状だけでなく、断面が多角形の筒部材を用いることも可能である。例えば、断面が正１２角形の筒部材を用いても、円筒部材と同様の機能を果たすことができる。
【００６０】
（２）実施例２では、回転支持部材５２に金属の棒材を使用したが、図１５に示すように、ねじりばね５２ａを回転支持部材として活用してもよい。
【００６１】
（３）各実施例では、切断対象として粘着テープＴを用いたが、それ以外のテープを使用してもよい。例えば、紙テープや、両面テープなどに使用することも可能である。
【図面の簡単な説明】
【００６２】
【図１】本発明によるテープ切断機の実施例１を示す図である。
【図２】図１のＰ−Ｐ断面の拡大図である。
【図３】実施例１のテープ切断機から粘着テープのテープ引出部Ｔ２を引き出すときの図である。
【図４】実施例１のテープ切断機から粘着テープのテープ引出部Ｔ２を引き出すときの図である。
【図５】実施例１のテープ切断機からテープ引出部Ｔ２を回転ローラに押し付ける図である。
【図６】実施例１のテープ切断機からテープ引出部Ｔ２を切断するときの図である。
【図７】実施例１におけるテープ引出部Ｔ２の切断後を示す図である。
【図８】本発明によるテープ切断補助機を汎用のテープ切断機に取り付けた実施例２を示す図である。
【図９】実施例２のテープ切断機から粘着テープのテープ引出部Ｔ２を引き出すときの図である。
【図１０】実施例２のテープ切断機から粘着テープのテープ引出部Ｔ２を引き出すときの図である。
【図１１】実施例２のテープ切断機からテープ引出部Ｔ２を回転ローラに押し付ける図である。
【図１２】実施例２のテープ切断機からテープ引出部Ｔ２を切断するときの図である。
【図１３】実施例２におけるテープ引出部Ｔ２の切断後を示す図である。
【図１４】実施例１及び実施例２の変形例を示す図である。
【図１５】実施例２の回転支持部材の変形例を示す図である。
【符号の説明】
【００６３】
１０、１０−２    テープ切断機
２０、２０−２    固定台
３０、３０−２    優先度選択手段
４０    回転機構部
５０    テープ切断補助機
４１、５１    回転ローラ
４２、５２    回転支持部材
【図１】
2009143689.tif 000003
【図２】
2009143689.tif 000004
【図３】
2009143689.tif 000005
【図４】
2009143689.tif 000006
【図５】
2009143689.tif 000007
【図６】
2009143689.tif 000008
【図７】
2009143689.tif 000009
【図８】
2009143689.tif 000010
【図９】
2009143689.tif 000011
【図１０】
2009143689.tif 000012
【図１１】
2009143689.tif 000013
【図１２】
2009143689.tif 000014
【図１３】
2009143689.tif 000015
【図１４】
2009143689.tif 000016
【図１５】
2009143689.tif 000017